【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
ブック構造とされたファイルに印刷設定を行い、該ファイルのうち複数のページが纏められたサブセットごとに、フィニッシング設定を行うことができる画像形成装置であって、
ラスタライズ処理された前記ファイルに対して新たなサブセットを挿入するか、又は、新たなサブセットを前記ファイルに既に存在するサブセットと差替えることを設定する設定手段と、
ラスタライズ処理された他のファイルのサブセットか、又は、ラスタライズ処理されていない他のファイルのサブセットを前記新たなサブセットとして決定する決定手段と、
前記新たなサブセットに対して設定するフィニッシング設定を、前記ファイルに既に存在するサブセットに設定されているフィニッシング設定から選択する選択手段と、
前記設定手段により前記ファイルに対して新たなサブセットを挿入することを設定した場合に、前記新たなサブセットに対して、前記選択手段により選択されたフィニッシング設定を設定して、前記新たなサブセットを挿入する挿入手段と、
前記設定手段により新たなサブセットを前記ファイルに既に存在するサブセットと差替えることを設定した場合に、前記新たなサブセットに対して、前記選択手段により選択されたフィニッシング設定を設定して、前記新たなサブセットを前記ファイルに既に存在するサブセットと差替える差替手段と、
前記決定手段によりラスタライズ処理されていない他のファイルのサブセットを新たなサブセットとして決定した場合に、前記挿入手段により挿入され、又は、前記差替手段により差替えられた前記新たなサブセットのみをラスタライズするラスタライズ手段と
を備えることを特徴とする画像形成装置。
【請求項２】
前記ファイルの全体に設定されている印刷設定を取得する取得手段と、
前記新たなサブセットに設定されている印刷設定のうち、フィニッシング設定でない設定を変更する変更手段と、
前記変更手段によって変更された設定が、前記取得手段によって取得された印刷設定と競合するか否かを判定する判定手段と、
前記判定手段による判定の結果、競合すると判定された場合に、警告画面を表示する表示手段と
を更に備えることを特徴とする請求項１に記載の画像形成装置。
【請求項３】
複数のページ群によって構成される印刷ジョブに追加される新たなページ群を選択する第１選択手段と、
前記印刷ジョブに含まれる複数のページ群から１つのページ群を選択する第２選択手段と、
前記第１選択手段によって選択されたページ群に前記第２選択手段によって選択されたページ群の印刷属性を適用する適用手段と
を備えることを特徴とする画像形成装置。
【請求項４】
ブック構造とされたファイルに印刷設定を行い、該ファイルのうち複数のページが纏められたサブセットごとに、フィニッシング設定を行うことができる画像形成装置において実行される画像形成方法であって、
前記画像形成装置の設定手段が、ラスタライズ処理された前記ファイルに対して新たなサブセットを挿入するか、又は、新たなサブセットを前記ファイルに既に存在するサブセットと差替えることを設定する設定工程と、
前記画像形成装置の決定手段が、ラスタライズ処理された他のファイルのサブセットか、又は、ラスタライズ処理されていない他のファイルのサブセットを前記新たなサブセットとして決定する決定工程と、
前記画像形成装置の選択手段が、前記新たなサブセットに対して設定するフィニッシング設定を、前記ファイルに既に存在するサブセットに設定されているフィニッシング設定から選択する選択工程と、
前記画像形成装置の挿入手段が、前記設定工程において前記ファイルに対して新たなサブセットを挿入することを設定した場合に、前記新たなサブセットに対して、前記選択工程において選択されたフィニッシング設定を設定して、前記新たなサブセットを挿入する挿入工程と、
前記画像形成装置の差替手段が、前記設定工程において新たなサブセットを前記ファイルに既に存在するサブセットと差替えることを設定した場合に、前記新たなサブセットに対して、前記選択工程において選択されたフィニッシング設定を設定して、前記新たなサブセットを前記ファイルに既に存在するサブセットと差替える差替工程と、
前記画像形成装置のラスタライズ手段が、前記決定工程においてラスタライズ処理されていない他のファイルのサブセットを新たなサブセットとして決定した場合に、前記挿入工程において挿入され、又は、前記差替工程において差替えられた前記新たなサブセットのみをラスタライズするラスタライズ工程と
を備えることを特徴とする画像形成方法。
【請求項５】
画像形成装置において実行される画像形成方法であって、
複数のページ群によって構成される印刷ジョブに追加される新たなページ群を選択する第１選択工程と、
前記印刷ジョブに含まれる複数のページ群から１つのページ群を選択する第２選択工程と、
前記第１選択工程によって選択されたページ群に前記第２選択工程によって選択されたページ群の印刷属性を適用する適用工程と
を備えることを特徴とする画像形成方法。
【請求項６】
ブック構造とされたファイルに印刷設定を行う際に、該ファイルのうち複数のページが纏められたサブセットごとに、フィニッシング設定を行うための画像形成プログラムであって、
ラスタライズ処理された前記ファイルに対して新たなサブセットを挿入するか、又は、新たなサブセットを前記ファイルに既に存在するサブセットと差替えることを設定する設定手段と、
ラスタライズ処理された他のファイルのサブセットか、又は、ラスタライズ処理されていない他のファイルのサブセットを前記新たなサブセットとして決定する決定手段と、
前記新たなサブセットに対して設定するフィニッシング設定を、前記ファイルに既に存在するサブセットに設定されているフィニッシング設定から選択する選択手段と、
前記設定手段により前記ファイルに対して新たなサブセットを挿入することを設定した場合に、前記新たなサブセットに対して、前記選択手段により選択されたフィニッシング設定を設定して、前記新たなサブセットを挿入する挿入手段と、
前記設定手段により新たなサブセットを前記ファイルに既に存在するサブセットと差替えることを設定した場合に、前記新たなサブセットに対して、前記選択手段により選択されたフィニッシング設定を設定して、前記新たなサブセットを前記ファイルに既に存在するサブセットと差替える差替手段と、
前記決定手段によりラスタライズ処理されていない他のファイルのサブセットを新たなサブセットとして決定した場合に、前記挿入手段により挿入され、又は、前記差替手段により差替えられた前記新たなサブセットのみをラスタライズするラスタライズ手段と
してコンピュータを機能させることを特徴とする画像形成プログラム。
【請求項７】
複数のページ群によって構成される印刷ジョブに追加される新たなページ群を選択する第１選択手段と、
前記印刷ジョブに含まれる複数のページ群から１つのページ群を選択する第２選択手段と、
前記第１選択手段によって選択されたページ群に前記第２選択手段によって選択されたページ群の印刷属性を適用する適用手段と
してコンピュータを機能させることを特徴とする画像形成プログラム。
【手続補正２】
【補正対象書類名】明細書
【補正対象項目名】００１０
【補正方法】変更
【補正の内容】
【００１０】
上記課題を解決するため、本発明に係る画像形成装置は、ブック構造とされたファイルに印刷設定を行い、該ファイルのうち複数のページが纏められたサブセットごとに、フィニッシング設定を行うことができる画像形成装置であって、ラスタライズ処理された前記ファイルに対して新たなサブセットを挿入するか、又は、新たなサブセットを前記ファイルに既に存在するサブセットと差替えることを設定する設定手段と、ラスタライズ処理された他のファイルのサブセットか、又は、ラスタライズ処理されていない他のファイルのサブセットを前記新たなサブセットとして決定する決定手段と、前記新たなサブセットに対して設定するフィニッシング設定を、前記ファイルに既に存在するサブセットに設定されているフィニッシング設定から選択する選択手段と、前記設定手段により前記ファイルに対して新たなサブセットを挿入することを設定した場合に、前記新たなサブセットに対して、前記選択手段により選択されたフィニッシング設定を設定して、前記新たなサブセットを挿入する挿入手段と、前記設定手段により新たなサブセットを前記ファイルに既に存在するサブセットと差替えることを設定した場合に、前記新たなサブセットに対して、前記選択手段により選択されたフィニッシング設定を設定して、前記新たなサブセットを前記ファイルに既に存在するサブセットと差替える差替手段と、前記決定手段によりラスタライズ処理されていない他のファイルのサブセットを新たなサブセットとして決定した場合に、前記挿入手段により挿入され、又は、前記差替手段により差替えられた前記新たなサブセットのみをラスタライズするラスタライズ手段とを備えることを特徴とする。
【手続補正３】
【補正対象書類名】明細書
【補正対象項目名】０００１
【補正方法】変更
【補正の内容】
【０００１】
本発明は、印刷ジョブ内のサブセットに印刷設定する画像形成装置、画像形成方法、及び、画像形成プログラムに関する。
【手続補正４】
【補正対象書類名】明細書
【補正対象項目名】０００９
【補正方法】変更
【補正の内容】
【０００９】
本願は、章などの新たなサブセットを追加する際に容易にユーザが所望とする印刷結果を得られる画像形成装置、画像形成方法、及び、画像形成プログラムを提供することを目的とする。
【手続補正５】
【補正対象書類名】明細書
【補正対象項目名】発明の名称
【補正方法】変更
【補正の内容】
【発明の名称】画像形成装置、画像形成方法、及び、画像形成プログラム